(57)【要約】      （修正有）【課題】従来の文献は、構造の複雑化、製造の煩雑化を招き、コスト上昇の問題がある。柱状の壁材を重畳する構成でなく、ハニカム構造のため付帯構造が必要となり、問題を残す。素材が金属材等の場合は、環境維持に問題を残す、公害発生の要因となる等の課題がある。従来の木製防音・吸音壁では、吸音率の低さが問題である。【解決手段】八角圧縮木材１の径方向に穿孔した孔２を一定間隔で配置し、孔２の径方向と直交方向に向かって開設した中空部３と、中空部３を塞ぐ中空部塞ぎ材５と、八角圧縮木材１の左右端を覆う端部連結金具と、八角圧縮木材１の重畳時に中空部３を連結する中空部連結溝３２と、八角圧縮木材を連結する連結部を備えた八角圧縮壁材１０を形成し、孔２を音源側に配備して多数本重畳する八角圧縮木材１の防音・吸音壁である。【選択図】          図１
2004162335.tif 000002
【特許請求の範囲】
【請求項１】
八角圧縮木材の径方向に向かって穿孔した複数個の孔を一定の間隔をもって配置し、またこの孔の径方向と直交方向に向かって八角圧縮木材の左右端から開設した中空部と、八角圧縮木材の左右端から中空部を塞ぐ中空部塞ぎ材と、中空部塞ぎ材によって塞がれた八角圧縮木材の左右端を覆う端部連結金具と、八角圧縮木材を重畳した際に中空部同士を連結する中空部連結溝と、八角圧縮木材を連結し嵌合する連結部を備えた孔付き八角圧縮壁材を多数本形成し、この孔付き八角圧縮壁材の孔を、道路・鉄道・室内外の所定の音源側に配備するように多数本重畳する構成とした八角圧縮木材の防音・吸音壁。
【請求項２】
八角圧縮木材の径方向に向かって穿孔した複数個の孔を一定の間隔をもって配置し、またこの孔の径方向と直交方向に向かって八角圧縮木材の左右端から開設した中空部と、左右端から開設した中空部間にある中空部非設置部と、八角圧縮木材の左右端から中空部を塞ぐ中空部塞ぎ材と、中空部塞ぎ材によって塞がれた八角圧縮木材の左右端を覆う端部連結金具と、八角圧縮木材を重畳した際に中空部同士を連結する中空部連結溝と、八角圧縮木材を連結し嵌合する連結部を備えた孔付き八角圧縮壁材を多数本形成し、この孔付き八角圧縮壁材の孔を、道路・鉄道・室内外の所定の音源側に配備するように多数本重畳する構成とした八角圧縮木材の防音・吸音壁。
【請求項３】
上記の八角圧縮木材が、間伐材を圧縮したものである請求項１、請求項２に記載の八角圧縮木材の防音・吸音壁。
【発明の詳細な説明】
【０００１】
【産業上の利用分野】
本発明は、八角圧縮木材の木製防音壁（遮音壁）・吸音壁（消音壁を含む）に関する。
【０００２】
【従来の技術】
周知のように、道路・鉄道・室内外の防音・吸音については、自然環境維持、生活環境維持及び向上、健康維持管理、又は騒音公害による環境破壊防止、快適な住環境確保、他人への迷惑防止等の見地から必須条件である。従って、この種の防音・吸音に関するものとしては、種々の形態・材質・構造等が採用されている。またその反面、この種の防音・吸音に関するものとして種々の改良案が提案されている。しかし、幹線道路・高速道路・鉄道・新幹線等の騒音又は室内外の騒音等に起因する、自然環境の破壊、生活環境の悪化、健康維持管理の困難な状況又は住環境の悪化等の問題は深刻であり、騒音に対する防音・吸音壁に関して速やかな対応が要望されている。
【０００３】
近時、防音・吸音効果が比較的簡易に達成されること、環境に優しく、公害の発生が無いこと等の見地から、木製（木質製）の防音・吸音壁について研究又は発表がなされている。例えば、木製の壁素材に溝きり又は背後に空気層を持つ構造で、この溝きり又は空気層でなる壁材を、多数本重畳した構成であって、この溝きり又は空気層を利用して、防音・吸音を図ること、又は壁素材の木質の特性を、この防音・吸音に役立てること等が挙げられる。
【０００４】
また、これに関連する文献（１）として、特開平１１−１３０２６号の「消音壁」がある。内容は、各種材料の消音壁体内を隔壁板で複数個のチャンハ゛に区画し、該チャンハ゛の内側面に防振防音塗料を塗布し、このチャンハ゛の上部には孔を備えた石綿、カ゛ラス繊維、ロックウール等の吸音板を装着し、この吸音板の上部へ隔壁板を装着して複数個のチャンハ゛を形成し、このチャンハ゛の内側面全体に防振防音塗料を塗布し、吸音板の表面に、リフ゛状の吸音板を複数立設して形成した各種材料の吸音板を装着した構成であり、消音効果と、吸音面の立体化による吸音効果の増大と、渦流発生による音波の散乱と回析波音の防止等の相乗効果が期待できる。従って、高速道路、鉄道、新幹線、又は一般道路等の消音壁として利用できる構造を意図する。
【０００５】
文献（２）として、特願２００１−１３８７２１の「集合柱構造の木製防音・吸音壁」がある。内容は、木製壁素材の径方向に向かって穿孔した孔を整列状態に配置し、またこの孔に交差する壁素材の径方向に向かって開設した空洞部とで構成した孔付き壁材を、多数本重畳するとともに空洞・孔付き壁材の孔を、所定の音源側に配置した構成の防音・吸音壁であって、壁素材に穿孔した孔と、所定の音源側に穿孔した孔の開口と、この壁素材に開設した空洞部と、壁素材の木質とを利用して防音、吸音することを特徴とする。従来の木製防音壁に比し、吸音率の向上が期待できること、自然・生活環境維持及び向上、健康維持管理、住環境確保等の面で成果があること、道路、鉄道、室内外、又は他の分野で採用できること等を意図する。
【０００６】
文献（３）として、特願２００１−３８６５８７の「六角圧縮木材を利用した木製防音・吸音壁」がある。内容は、六角圧縮木材の径方向に向かって穿孔した数個の孔と、孔に連通する径方向と直交方向に向かって開設した空洞部とを備えた孔付き六角圧縮壁材を多数本形成し、各孔付き六角圧縮木材の孔を、道路、鉄道、室内外の所定の音源側に配備するようにして多数本重畳し、この各他の孔付き六角圧縮木材の繋ぎ凹部に連結材を設ける構成とした六角圧縮木材を利用した木製防音・吸音壁であり、従来の木製防音壁に比し、吸音率の向上が期待できる。自然・生活環境維持及び向上、健康維持管理、住環境確保等の面で成果があること、各方面で採用できる防音・吸音壁を提供できることを意図する。
【０００７】
【発明が解決しようとする課題】
文献（１）は、消音壁体内を隔壁板で複数個のチャンハ゛に区画し、防振防音塗料を塗布し、また孔を備えた吸音板、及び隔壁板を装着して複数個のチャンハ゛を形成し、防振防音塗料を塗布し、さらに吸音板を設けた複合構造である。従って、素材が木製等の場合は、構造の複雑化、製造の煩雑化等を招くこと、コストの上昇を招くこと等の問題がある。また、柱状の壁材を重畳する構成でなく、ハニカム構造等を採用するので付帯構造が必要となり、前述と同様な問題を残す。さらに素材が金属材・ク゛ラスウール・石綿等の場合は、自然環境維持、生活環境維持に問題を残すこと、公害発生の要因となること等の課題が考えられる。
【０００８】
また、文献（２）及び（３）は、従来の木製遮音壁に比し、吸音率の向上、自然・生活環境維持及び向上、健康維持管理、住環境確保等の様々な効果があり、各分野での採用も可能であるが、連結材の使用により、部品点数が増加するためコストがやや増加すること、圧縮木材内で連結材が反る・撓む・膨らむ等の現象が発生する可能性があること等の課題が考えられる。
【０００９】
【課題を解決するための手段】
請求項１の発明は、木質の特性と、孔・中空部・中空部連結溝の構造及び孔・中空部・中空部連結溝等の配置構造における他の孔との共鳴現象を利用して、防音と吸音効果を発揮して、自然環境維持、生活環境維持及び向上、健康維持管理、騒音公害による環境破壊防止、快適な住環境確保又は他人への迷惑防止等の面に優れた成果を発揮し、道路・鉄道・室内外又は他の分野等のほぼ全ての分野において採用できる八角圧縮木材の防音・吸音壁、また環境に優しい八角圧縮木材の防音・吸音壁の提供を意図する。
【００１０】
請求項１は、八角圧縮木材の径方向に向かって穿孔した複数個の孔を一定の間隔をもって配置し、またこの孔の径方向と直交方向に向かって八角圧縮木材の左右端から開設した中空部と、八角圧縮木材の左右端から中空部を塞ぐ中空部塞ぎ材と、中空部塞ぎ材によって塞がれた八角圧縮木材の左右端を覆う端部連結金具と、八角圧縮木材を重畳した際に中空部同士を連結する中空部連結溝と、八角圧縮木材を連結し嵌合する連結部を備えた孔付き八角圧縮壁材を多数本形成し、この孔付き八角圧縮壁材の孔を、道路・鉄道・室内外の所定の音源側に配備するように多数本重畳する構成とした八角圧縮木材の防音・吸音壁である。
【００１１】
請求項２の発明は、木質の特性と、孔・中空部・中空部連結溝の構造及び孔・中空部・中空部連結溝等の配置構造における他の孔との共鳴現象を利用して、防音と吸音効果を発揮して、自然環境維持、生活環境維持及び向上、健康維持管理、騒音公害による環境破壊防止、快適な住環境確保又は他人への迷惑防止等の面に優れた成果を発揮し、道路・鉄道・室内外又は他の分野等のほぼ全ての分野において採用できる八角圧縮木材の防音・吸音壁、また環境に優しい八角圧縮木材の防音・吸音壁の提供を意図する。
【００１２】
請求項２は、八角圧縮木材の径方向に向かって穿孔した複数個の孔を一定の間隔をもって配置し、またこの孔の径方向と直交方向に向かって八角圧縮木材の左右端から開設した中空部と、左右端から開設した中空部間にある中空部非設置部と、八角圧縮木材の左右端から中空部を塞ぐ中空部塞ぎ材と、中空部塞ぎ材によって塞がれた八角圧縮木材の左右端を覆う端部連結金具と、八角圧縮木材を重畳した際に中空部同士を連結する中空部連結溝と、八角圧縮木材を連結し嵌合する連結部を備えた孔付き八角圧縮壁材を多数本形成し、この孔付き八角圧縮壁材の孔を、道路・鉄道・室内外の所定の音源側に配備するように多数本重畳する構成とした八角圧縮木材の防音・吸音壁である。
【００１３】
請求項３の発明は、未利用間伐材等の有効利用を図りつつ、耐久性、耐震性等の強度面で優れた防音・吸音壁、及び防音と吸音効果を発揮できる八角圧縮木材の防音・吸音壁の提供を意図する。
【００１４】
請求項３は、八角圧縮木材が、間伐材を圧縮したものである八角圧縮木材の防音・吸音壁である。
【００１５】
【発明の実施の形態】
本発明で採用する八角圧縮木材は、加熱木材（原形丸太）に対して強度が約１．６倍で、かつ単位体積重量が約２倍となるので、耐久性・耐震性又は穿孔・開設・連結等、加工の多様化等における強度面で優れた木製柱状の壁素材となる。この壁素材となる八角圧縮木材に孔を設ける、中空部を設ける、溝を設ける等により防音と吸音効果を発揮できる構造とする。
【００１６】
この八角圧縮木材に多数個の孔を整列状に穿孔し、中空部・溝を開設する。穿孔した孔・中空部・溝を開設した八角圧縮木材を適宜、重畳・嵌合又は適宜方法で枠組みして、防音・吸音壁を構築する。なお、孔の長さ（深さ）及び位置・配置の違い又は変化等により、共鳴による防音・吸音等を図ることができる。また孔・中空部・溝の、設けた数・位置・深さ等の総合的・相乗的な防音・吸音・共鳴等が図れること等の特徴がある。この共鳴を利用して、騒音等の減衰効果が図れる。
【００１７】
例えば、防音・吸音効果を３８０Ｈｚの共鳴周波数とする場合、
孔深さ（ｍｍ）      個数（ケ）
５６      ×      ５０      ＝      ２８００
４３      ×      ２５      ＝      １０７５
４１      ×      １３      ＝      ５３３
４３      ×      １３      ＝      ５５９
４５      ×      １３      ＝      ５８５
合計            １１４              ５５５２
断面積（ｍｍ２）Ａ＝２８２７
延長（ｍｍ）  Ｌ＝７６０
体積（ｍｍ３）Ｖ＝Ａ×Ｌ＝２１４８５２０
孔一ケ当たりの体積（ｍｍ３）Ｖ１＝１８８４７
孔平均長（ｍｍ）Ｌａｖｅ＝４８．７
共鳴周波数（Ｈｚ）＝３７６
とすることによって、３８０Ｈｚに近い共鳴周波数を得ることができる。
【００１８】
また、例えば、防音・吸音効果を６００Ｈｚの共鳴周波数とする場合、
孔深さ（ｍｍ）      個数（ケ）
４０      ×      ２５      ＝      １０００
２７      ×      １３      ＝      ３５１
２５      ×      ５０      ＝      １２５０
２７      ×      ５０      ＝      １３５０
２９      ×      ５０      ＝      １４５０
合計            １８８              ５４０１
断面積（ｍｍ２）Ａ＝２８２７
延長（ｍｍ）  Ｌ＝７６０
体積（ｍｍ３）Ｖ＝Ａ×Ｌ＝２１４８５２０
孔一ケ当たりの体積（ｍｍ３）Ｖ１＝１１４２８
孔平均長（ｍｍ）Ｌａｖｅ＝２８．７
共鳴周波数（Ｈｚ）＝６０３
とすることによって、６００Ｈｚに近い共鳴周波数を得ることができる。
【００１９】
尚、他の使用例としては、河川設置・堤防設置等も考えられる。この場合、防腐（防藻・防黴）処理を行う。この例でも性能的には前述の各例と同じであると考えられる。又、孔・中空部・溝等を利用することによって、防腐剤を容易に八角圧縮木材全体に塗布・噴霧・含滲・浸漬することが可能である。
【００２０】
【実施例】
以下、本発明の一実施例を説明する。
【００２１】
１は木製柱材（木材、角柱木材、丸柱木材、他の形状の木材等）を圧縮した八角圧縮木材で、この例では、間伐材を圧縮した八角圧縮木材１とする。この八角圧縮木材１は、未利用間伐材等の有効利用を図るものであるが、必ずしも限定されない。従って、一般の材木、集合材等の木製素材を圧縮形成することも有り得る。尚、木製防音・吸音壁は、自然環境維持、健康管理、再利用化の促進、廃棄処分の容易化等を図ることができることから、例えばコンクリート壁材、アルミ及びク゛ラスウール、石綿等の壁材と比較して非常に有益である。
【００２２】
図１は八角圧縮木材１を重畳して八角圧縮壁材１０とした際の斜視図である。
【００２３】
図２、図３は、図１の八角圧縮壁材１０の下から１段目の一例を表す平面図及び正面図である。八角圧縮木材１に、径方向（図４の矢印方向Ａ）に向かって奥深く穿孔した数個の孔２と、この孔２に連通する径方向と直交方向（図３の矢印方向Ｂ）に向かって中空部３を開設し、孔付き八角圧縮木材１を形成する。この孔２は原則として、八角圧縮木材１の重畳側を除いて設けることで、作業の容易化・効率化・低コスト化・強度確保等を達成する。また、孔２の開口方向は道路・線路・部屋等の室内の壁面等に設置した際の音源側とする。なお、この段及び下から２段目には（後述する。）には中空部連結溝３２があり、八角圧縮木材１の上部にある連結凸部４１を連通している。また、孔２を高密度で穿孔できるので、防音・吸音効果に優れた効果が期待できる。
【００２４】
孔２は、八角圧縮木材１の全体に設けるだけでなく、部分的に設ける構成や、少なくとも一部が先細で貫通する構成（図示せず）、あるいは各孔の深さ・径の大きさ等の異なる構成（図示せず）、また孔２の形（内側又は外側方向の先端が細くなる、スクリュー形状、スクリュー方向の違い等）の異なる構成（図示せず）等も可能である。孔２は音源側に向かって開口しているが、孔２の角度をやや下向きとすると、水の貯溜防止と、排水に役立つ利点がある。
【００２５】
また、中空部３は、八角圧縮木材１の左右端より孔２をあけ、一定の深さを開設する。中空部３に対して連通する中空部連結孔３１と連通しない孔２があり、また、孔２の連通の有無、孔２の配置等は限定されない。また、中空部３の大きさ・数等も限定されない。なお、左右端からそれぞれ開設した中空部３同士は、八角圧縮木材１内で貫通することは無く、中心部までは達しない。そのため、中空部非設置部８ができ、その中空部非設置部８に連結用貫通孔７を設けることができる。
【００２６】
八角圧縮木材１に中空部３を開設した後、八角圧縮木材１の両端から中空部塞ぎ材５により中空部３を塞ぐ。中空部塞ぎ材５によって塞いだ後、中空部塞ぎ材５を覆うような形で、八角圧縮木材１の両端に端部連結金具６を取付け、固定する。
【００２７】
八角圧縮木材１の連結凹部４と連結凸部４１を嵌合し、八角圧縮木材１を重畳し、図１のような八角圧縮壁材１０を形成する。八角圧縮木材１の中空部非設置部８には連結用貫通孔７があり、この連結用貫通孔７に柱を通すことによって、積層連結をより強固なものにすることができる。なお、八角圧縮木材１の連結は、前記のように連結凹部４と連結凸部４１により嵌合して積層連結するが、連結凹部４、連結凸部４１の形、接着方法、嵌合方法は限定されない。例えば、嵌合後、接着剤による接着も可能である。
【００２８】
尚、連結についてであるが、従来は連結材を入れていたが、圧縮壁材及び／又は連結材が反る・撓む・膨らむ等の問題があり、隙間の発生、美観の低下、又は耐久性に問題があった。そのため、連結凹部４と連結凸部４１の嵌合による積層連結にすることによって、前記した反る・撓む・膨らむ等による弊害防止、耐久性、その他の問題を解消できる。なお、部品の点数が少なくなったため、八角圧縮木材１の作製作業の簡易化に繋がり、また、低コスト化が可能となることも考えられる。
【００２９】
図４は図１の八角圧縮壁材１０の下から１段目の一例を表すＡ−Ａ’（イ）〜Ｅ−Ｅ’（ホ）までの各箇所の断面図である。（ロ）の中空部３と（ニ）の中空部３は開設した位置をずらすことによって、吸音効果を高めることができる。
【００３０】
図５、６、７は、八角圧縮壁材１０の下から２段目の一例を表す平面図、正面図、断面図（イ）〜（ホ）である。図７の（ロ）の中空部連結溝３２は、下から１段目の八角圧縮木材１の上方にある中空部連結溝３２と連繋している。なお、中空部非設置部８及び連結溝非設置部９には中空部連結溝３２は開設されていない。中空部非設置部８及び連結溝非設置部９を設けることにより、吸音効果を高めること、低コスト化等が可能となる。また、この一例の八角圧縮木材１には一面から他面に向かって開口するＶ型孔２１を有している。なお、Ｖ型孔２１は、一面から他面に向かって開口するが、同一面に開口する、又は同一面と他面とが隣接又は間隔をもって開口することもあり得る。Ｖ型孔２１により、孔２の長さに対応した共鳴周波数を確保することができる。つまり、孔２の音源側から開口されている孔２の長さと、連結凸部４１から開口されている孔２の長さを足したものに対応して共鳴周波数が示される。孔２は図示しないがＦ型孔、その他の型の孔等も有り得る。なお、孔２の長さが長くなるのに反比例して、共鳴周波数は低い周波になるので、騒音の種類によって、孔２の長さ・個数・位置・径の大きさ、中空部３・中空部連結溝３２の位置・大きさ・個数等は適宜変更することが可能である。尚、強度が許す限り、ランタ゛ムに孔２を構成することも可能である。
【００３１】
図８、９、１０は、八角圧縮壁材１０の下から３段目の一例を表す平面図、正面図、断面図（イ）〜（ホ）である。
【００３２】
図１１、１２、１３は、八角圧縮壁材１０の下から４段目の一例を表す平面図、正面図、断面図（イ）〜（ホ）である。
【００３３】
図１４、１５は、下から１段目及び２段目を連結した一例を表す正面図、断面図（イ）〜（ホ）である。断面図（ロ）及び（ニ）のように、連結凹部４と連結凸部４１を嵌合することにより、中空部連結溝３２が連繋され、下から１段目の中空部３と下から２段目の中空部３が連繋される。
【００３４】
なお、図示していないが、八角圧縮木材１の孔２の開口側、中空部３に細かなスリットを入れることで、防音・吸音効果が上がる。
【００３５】
また八角圧縮木材１は、未利用間伐材等の有効利用、耐久性、耐震性等の強度面で優れた防音・吸音壁であり、防音と吸音効果を発揮できる。また、高密度で孔２及び中空部３及び中空部連結溝３２を形成できる防音・吸音壁の提供を意図する。一般の材木、集合材等の木製素材を採用することも可能である。
【００３６】
さらに八角圧縮木材１に穿孔する孔２又は開設する中空部３又は中空部連結溝３２の形状・部位・数・形態等は自由であり、吸音効果、室内外の条件、他の条件等により、適宜変更して、最適な吸音（遮音）を図る。また、八角圧縮木材１の組合せ・組合せ本数等も自由である。尚、八角圧縮木材１の重畳による凹凸形状（波形形状効果）又は凹凸面（波形面効果）は、防音、吸音、共鳴等の増幅効果に寄与できる。
【００３７】
なお、図１６は、従来の六角圧縮木材ａを示した斜視図であるが、従来の六角圧縮木材ａから八角圧縮木材１を採用することによって表面積が広がり、共鳴に役立つ面積の拡充と、孔２を作製するための面積を拡充（孔の数の拡充）することができ、防音、吸音、共鳴等の増幅効果に寄与できる。
【００３８】
【発明の効果】
請求項１の発明は、八角圧縮木材の径方向に向かって穿孔した複数個の孔を一定の間隔をもって配置し、またこの孔の径方向と直交方向に向かって八角圧縮木材の左右端から開設した中空部と、八角圧縮木材の左右端から中空部を塞ぐ中空部塞ぎ材と、中空部塞ぎ材によって塞がれた八角圧縮木材の左右端を覆う端部連結金具と、八角圧縮木材を重畳した際に中空部同士を連結する中空部連結溝と、八角圧縮木材を連結し嵌合する連結部を備えた孔付き八角圧縮壁材を多数本形成し、この孔付き八角圧縮壁材の孔を、道路・鉄道・室内外の所定の音源側に配備するように多数本重畳する構成とした八角圧縮木材の防音・吸音壁である。従って、木質の特性と、孔・空洞部・溝の構造及び孔・空洞部・溝の配置構造等を利用し、防音と吸音効果が発揮できること、この効果により、例えば、自然環境維持、生活環境維持及び向上、健康維持管理、住環境確保等の面において優れた成果が達成できること、道路・鉄道・室内外、又は他の分野において採用できる木製の防音・吸音壁であること、また環境に優しい木製の防音・吸音壁を提供できること、室内では癒しの雰囲気を感じさせること、等の特徴がある。
【００３９】
請求項２の発明は、八角圧縮木材の径方向に向かって穿孔した複数個の孔を一定の間隔をもって配置し、またこの孔の径方向と直交方向に向かって八角圧縮木材の左右端から開設した中空部と、左右端から開設した中空部間にある中空部非設置部と、八角圧縮木材の左右端から中空部を塞ぐ中空部塞ぎ材と、中空部塞ぎ材によって塞がれた八角圧縮木材の左右端を覆う端部連結金具と、八角圧縮木材を重畳した際に中空部同士を連結する中空部連結溝と、八角圧縮木材を連結し嵌合する連結部を備えた孔付き八角圧縮壁材を多数本形成し、この孔付き八角圧縮壁材の孔を、道路・鉄道・室内外の所定の音源側に配備するように多数本重畳する構成とした八角圧縮木材の防音・吸音壁である。従って、請求項１の発明と同様の効果がある。
【００４０】
請求項３の発明は、八角圧縮木材が、間伐材を圧縮したものである八角圧縮木材の防音・吸音壁である。従って、未利用間伐材等の有効利用を図りつつ、耐久性、耐震性等の強度面で優れた木製防音・吸音壁、及び防音と吸音効果を発揮できる木製防音・吸音壁、或いは穿孔又は開設の高密度化を図り、優れた防音と吸音効果を発揮できる木製防音・吸音壁等を提供できる特徴がある。また重畳で形成される表面凹凸形状による防音と吸音効果を発揮できる木製防音・吸音壁を提供できる特徴がある。
【図面の簡単な説明】
【図１】八角圧縮壁材の一例を示す斜視図である。
【図２】図１の八角圧縮壁材の下から１段目の一例を示す平面図である。
【図３】図１の八角圧縮壁材の下から１段目の一例を示す正面図である。
【図４】（イ）図２、３のＡ−Ａ’断面図である。（ロ）図２、３のＢ−Ｂ’断面図である。（ハ）図２、３のＣ−Ｃ’断面図である。（ニ）図２、３のＤ−Ｄ’断面図である。（ホ）図２、３のＥ−Ｅ’断面図である。
【図５】図１の八角圧縮壁材の下から２段目の一例を示す平面図である。
【図６】図１の八角圧縮壁材の下から２段目の一例を示す正面図である。
【図７】（イ）図５、６のＡ−Ａ’断面図である。（ロ）図５、６のＢ−Ｂ’断面図である。（ハ）図５、６のＣ−Ｃ’断面図である。（ニ）図５、６のＤ−Ｄ’断面図である。（ホ）図５、６のＥ−Ｅ’断面図である。
【図８】図１の八角圧縮壁材の下から３段目の一例を示す平面図である。
【図９】図１の八角圧縮壁材の下から３段目の一例を示す正面図である。
【図１０】（イ）図８、９のＡ−Ａ’断面図である。（ロ）図８、９のＢ−Ｂ’断面図である。（ハ）図８、９のＣ−Ｃ’断面図である。（ニ）図８、９のＤ−Ｄ’断面図である。（ホ）図８、９のＥ−Ｅ’断面図である。
【図１１】図１の八角圧縮壁材の下から４段目の一例を示す平面図である。
【図１２】図１の八角圧縮壁材の下から４段目の一例を示す正面図である。
【図１３】（イ）図１１、１２のＡ−Ａ’断面図である。（ロ）図１１、１２のＢ−Ｂ’断面図である。（ハ）図１１、１２のＣ−Ｃ’断面図である。（ニ）図１１、１２のＤ−Ｄ’断面図である。（ホ）図１１、１２のＥ−Ｅ’断面図である。
【図１４】八角圧縮木材を２段重畳した状態の正面図である。
【図１５】（イ）図１４のＡ−Ａ’断面図である。（ロ）図１４のＢ−Ｂ’断面図である。（ハ）図１４のＣ−Ｃ’断面図である。（ニ）図１４のＤ−Ｄ’断面図である。（ホ）図１４のＥ−Ｅ’断面図である。
【図１６】従来の六角圧縮木材を示す斜視図である。
【符号の説明】
１            八角圧縮木材
２            孔
２１          Ｖ型孔
３                      中空部
３１          中空部連結孔
３２          中空部連結溝
４                      連結凹部
４１          連結凸部
５            中空部塞ぎ材
６            端部連結金具
７            連結用貫通孔
８            中空部非設置部
９            連結溝非設置部
１０          八角圧縮壁材
Ａ            矢印方向
Ｂ            矢印方向
ａ            従来の六角圧縮木材
【図１】
2004162335.tif 000003
【図２】
2004162335.tif 000004
【図３】
2004162335.tif 000005
【図４】
2004162335.tif 000006
【図５】
2004162335.tif 000007
【図６】
2004162335.tif 000008
【図７】
2004162335.tif 000009
【図８】
2004162335.tif 000010
【図９】
2004162335.tif 000011
【図１０】
2004162335.tif 000012
【図１１】
2004162335.tif 000013
【図１２】
2004162335.tif 000014
【図１３】
2004162335.tif 000015
【図１４】
2004162335.tif 000016
【図１５】
2004162335.tif 000017
【図１６】
2004162335.tif 000018